(57)【特許請求の範囲】
【請求項１】
主走査方向と平行に取り付けられた円形の断面形状を有するメインキャリッジガイド軸と、前記メインキャリッジガイド軸と平行に取り付けられたサブキャリッジガイド軸と、前記メインキャリッジガイド軸および前記サブキャリッジガイド軸に、主走査方向に移動するように支持されるキャリッジとを備え、前記キャリッジに駆動力を伝達する無端ベルトが連結された記録装置におけるキャリッジ支持装置であって、
前記キャリッジは、該キャリッジに備えられた前記メインキャリッジガイド軸が挿通される円形孔を有し、前記キャリッジの一端側に設けられた、第１の軸受け部に前記メインキャリッジガイド軸が挿通された状態で支持され、かつ前記第１の軸受け部からキャリッジの中心よりも遠方の他端側に設けられた、第２の軸受け部により前記サブキャリッジガイド軸に支持され、前記無端ベルトは、前記第１の軸受け部が設けられた一端側にて前記キャリッジと連結され、
前記第１の軸受け部において、前記キャリッジを前記メインキャリッジガイド軸に垂直下方向に付勢する付勢手段を備える、
ことを特徴としたキャリッジ支持装置。
【請求項２】
請求項１において、前記付勢手段は、付勢力源となるコイルばね及び前記メインキャリッジガイド軸の外周面と略同径の内周面を有する付勢部材を有し、
前記メインキャリッジガイド軸の垂直下方向側の外周面に前記付勢部材の内周面が摺接しつつ、前記キャリッジと前記付勢部材との間に張架された前記コイルばねのばね力によって、前記第１の軸受け部が前記メインキャリッジガイド軸に垂直下方向へ付勢される構成を有している、ことを特徴としたキャリッジ支持装置。
【請求項３】
請求項１又は２において、前記キャリッジ支持装置は、
前記第２の軸受け部において、前記キャリッジを前記サブキャリッジガイド軸に垂直下方向に付勢する付勢手段を備える、ことを特徴としたキャリッジ支持装置。
【請求項４】
請求項１〜３のいずれか１項において、
前記付勢手段は、コイルスプリングによる付勢手段である、ことを特徴としたキャリッジ支持装置。
【請求項５】
請求項１〜４のいずれか１項に記載のキャリッジ支持装置を備えた記録装置。
【発明の詳細な説明】
【０００１】
【発明の属する技術分野】
本願発明は、主走査方向と平行に取り付けられた円形の断面形状を有するメインキャリッジガイド軸およびメインキャリッジガイド軸と平行に取り付けられたサブキャリッジガイド軸とに、主走査方向に移動するようにキャリッジが支持されるキャリッジ支持装置と、それを備えた記録装置に関するものである。
【０００２】
【従来の技術】
図５は、従来技術によるキャリッジ支持装置について示した、キャリッジを側面から視た概略の断面図である。
記録ヘッド３３を搭載したキャリッジ１は、メインキャリッジガイド軸２１が挿通される円形孔を有する第１の軸受け部１２においてメインキャリッジガイド軸２１と、第２の軸受け部１３においてサブキャリッジガイド軸２２と、に主走査方向に移動するように支持されている。メインキャリッジガイド軸２１とサブキャリッジガイド軸２２は、円形の断面形状を有し、それぞれ主走査方向と平行に記録装置に設けられている。また、キャリッジ１は、キャリッジ１を主走査方向に駆動するための駆動力を伝達するための無端ベルト３１と、連結部３２において連結されている。そして、キャリッジ１は、第１の軸受け部１２においてメインキャリッジガイド軸２１にキャリッジ１を付勢する、第１の付勢手段２と、第２の軸受け部１３においてサブキャリッジガイド軸２２をキャリッジ１に付勢する、第２の付勢手段３とを有している。
【０００３】
第１の付勢手段２は、第１のコイルスプリング５１と、第１の付勢部材５２により構成されている。第１の付勢部材５２は、符号５５に示した部位においてキャリッジ１に軸支され、第１のコイルスプリング５１は、一端側はキャリッジ１に取り付けられ、他端側は第１の付勢部材５２の一端に取り付けられる。また、第１のコイルスプリング５１は、第１のコイルスプリング５１が縮もうとする力が所定の強さの力になるように両端を伸張された状態で取り付けられる。そして、第１のコイルスプリング５１が縮もうとする力は、符号Ａの矢印に示した方向に働き、第１の付勢部材５２が軸支された符号５５に示した部位を支点として、第１の付勢部材５２の他端側において接しているメインキャリッジガイド軸２１に対してＦ１の方向に作用する。これにより、第１の付勢手段２は、Ｆ１の方向の力の反作用の力で、メインキャリッジガイド軸２１にキャリッジ１を付勢するものである。
【０００４】
一方、第２の付勢手段３は、第２のコイルスプリング５３と、第２の付勢部材５４により構成されている。第２のコイルスプリング５３の一端側は、キャリッジ１に固定され、他端側に第２の付勢部材５４が取り付けられている。また、第２のコイルスプリング５３は、第２のコイルスプリング５３が伸びようとする力が所定の強さの力になるように縮設される。そして、第２のコイルスプリング５３が伸びようとする力は、符号Ｂの矢印に示した方向に働き、第２のコイルスプリング５３の他端側に取り付けられた、第２の付勢部材５４が接しているサブキャリッジガイド軸２２に対してＦ２の方向に作用する。これにより、第２の付勢手段３は、Ｆ２の方向の力の反作用の力で、サブキャリッジガイド軸２２をキャリッジ１に付勢するものである。
【０００５】
上記の構成により、キャリッジ１は、メインキャリッジガイド軸２１およびサブキャリッジガイド軸２２に符号Ｃの矢印で示した方向に付勢されている。
【０００６】
【発明が解決しようとする課題】
キャリッジ１は、メインキャリッジガイド軸２１およびサブキャリッジガイド軸２２に主走査方向に移動するように支持されていることから、キャリッジ１とメインキャリッジガイド軸２１およびサブキャリッジガイド軸２２との間には、ごくわずかながらガタツキが生じる。これは構造上やむを得ない部分であり、このガタツキを全く無くすことは不可能である。
【０００７】
故に、このガタツキによってキャリッジ１は振動等の影響を受け、それが記録精度に影響を与えることになる。特に、キャリッジ１が静止状態から主走査方向に移動し始めるときに、上記ガタツキの範囲内で発生するキャリッジ１の重心点を軸にした回転力に起因する振動の影響を受けやすく、それによって記録精度が低下するという問題が生じる。
【０００８】
図６は、従来技術によるキャリッジ支持装置について示した、キャリッジを平面側から視た概略の断面図である。
キャリッジ１に連結された無端ベルト３１からの一主走査方向Ｆａへの駆動力が、キャリッジ１の連結部３２に伝達されると、キャリッジ１には、キャリッジ１の重心点を軸にした一主走査方向への回転力により、仮想線で示したキャリッジ１ａの姿勢に傾く力が作用する。この際、キャリッジ１は前述の通り、メインキャリッジガイド軸２１に符号Ｃで示した方向に付勢されていることから、キャリッジ１には、メインキャリッジガイド軸２１とキャリッジ１が接している面の前記一主走査方向Ｆａと反対方向側の端部である符号ａ２で示した点を支点とした回転力が作用することになる。そして、メインキャリッジガイド軸２１とキャリッジ１が接している面の主走査方向側の端部において、符号ｂ１で示した点にて接していたメインキャリッジガイド軸２１は、符号ａ１にて示した点と接することになり、第１の軸受け部１２のガタツキの範囲内において、キャリッジ１は傾くことになる。
【０００９】
なお、他主走査方向（符号Ｆａの方向と反対の方向）についても同様である。従って、キャリッジ１が傾くことに伴い、キャリッジ１に搭載された記録ヘッド３３の位置は、本来の記録実行位置からズレてしまい、記録精度の低下が生じる。
【００１０】
従来技術は、前記回転力に対向する方向にキャリッジ１をメインキャリッジガイド軸２１およびサブキャリッジガイド軸２２に付勢するキャリッジ支持装置にて、キャリッジ１の振動、特に前記回転力に起因する振動の影響を低減させ、記録精度を向上させたものである。図５における第１の軸受け部１２の部分を拡大して示した概略の断面図である図７は、従来技術によるキャリッジ支持装置におけるキャリッジ１に作用する一主走査方向への回転力と、キャリッジ１をメインキャリッジガイド軸２１に付勢する第１の付勢手段２の付勢力、およびキャリッジ１をサブキャリッジガイド軸２２に付勢する第２の付勢手段３の付勢力との関係を示したものである。
【００１１】
図７において、第１の付勢手段２の付勢力をＦ１、第２の付勢手段３の付勢力をＦ２とすると、メインキャリッジガイド軸２１に作用する付勢力は、Ｆ１＋Ｆ２で示される。また、メインキャリッジガイド軸２１には、キャリッジ１の自重による付勢力Ｆｇも作用する。従って、メインキャリッジガイド軸２１には、付勢力Ｆ１＋Ｆ２と、付勢力Ｆｇを合成した付勢力Ｆ３が作用することになる。これにより、キャリッジ１は、図７に示すように、メインキャリッジガイド軸２１に第１の軸受け部１２の円形孔側端部やや上方の面が接した状態で付勢されることになる。
【００１２】
一方、キャリッジ１に作用する一主走査方向への回転力をＦａ１とすると、一主走査方向への回転力Ｆａ１が作用することにより、第１の軸受け部１２の円形孔とメインキャリッジガイド軸２１とが接する点は、図６にも示したように、第１の軸受け部１２の円形孔の主走査方向側の端部において、符号ａ１にて示した点となる。そして、キャリッジ１は、第１の軸受け部１２の円形孔の一主走査方向側の端部において、メインキャリッジガイド軸２１に対して、仮想線で示したキャリッジ１ａの位置まで移動することになる。なお、符号Ｄはその際のキャリッジ１の移動方向、および移動量を示したものである。
【００１３】
また、キャリッジ１に作用する一主走査方向への回転力Ｆａ１は、キャリッジ１の移動方向との関係から、符号Ｆ４と符号Ｆ５で示した力に分散され、キャリッジ１には符号Ｆ４で示した力が作用するが、キャリッジの移動方向がほぼ水平方向であることから、キャリッジ１に作用する一主走査方向への回転力と、キャリッジ１の移動方向に作用する力は、ほぼ同じ大きさの力となる。
【００１４】
このように、キャリッジ１に作用する一主走査方向への回転力に対向する水平方向の付勢力にてキャリッジ１の振動を抑制するためには、キャリッジ１に作用する一主走査方向への回転力によりキャリッジ１が移動する方向に、ほぼその回転力と同じ大きさの力が作用することから、キャリッジ１の回転力に起因したキャリッジ１の振動を抑制するためには、大きな付勢力を必要とすることになる。そのため、キャリッジ１の第１の軸受け部１２と、メインキャリッジガイド軸２１との間に、大きな摩擦抵抗が生じることになり、それによってキャリッジ１の回転力に起因したキャリッジ１の振動が発生するという問題が生じることになる。なお、他主走査方向についても同様である。
【００１５】
また、第１の付勢手段２のみならず、第２の付勢手段３をサブキャリッジガイド軸２２側に設けることは、キャリッジ１のサブキャリッジガイド軸２２側においてもキャリッジ１の振動を抑制することで、全体として、キャリッジ１の振動の影響をさらに低減させるものである。
【００１６】
しかしながら、第１の付勢手段２と同様に、キャリッジ１の回転力に起因したキャリッジ１の振動を抑制するためには、大きな付勢力を必要とし、その付勢力により、キャリッジ１の第２の軸受け部とサブキャリッジガイド軸２２との間に、大きな摩擦抵抗が生じることになり、それによってキャリッジ１の回転力に起因したキャリッジ１の振動が発生するという問題が生じることになる。
【００１７】
上記により、従来技術のキャリッジ支持装置においては、前記回転力に起因するキャリッジ１の振動の影響を大幅に低減させることは出来ず、記録精度の向上は決して満足のいくレベルのものではなかった。
【００１８】
本願発明の課題は、記録精度に影響を及ぼす、キャリッジとキャリッジガイド軸との間のガタツキよってキャリッジが主走査方向に移動する際に生じる、キャリッジの回転力に起因するキャリッジの振動を大幅に低減させることで、高い記録精度の記録を可能とするキャリッジ支持装置、および記録装置を提供することにある。
【００１９】
【課題を解決するための手段】
上記課題を達成するため、本願請求項１に記載の発明は、主走査方向と平行に取り付けられた円形の断面形状を有するメインキャリッジガイド軸と、前記メインキャリッジガイド軸と平行に取り付けられたサブキャリッジガイド軸と、前記メインキャリッジガイド軸および前記サブキャリッジガイド軸に、主走査方向に移動するように支持されるキャリッジとを備え、前記キャリッジに駆動力を伝達する無端ベルトが連結された記録装置におけるキャリッジ支持装置であって、前記キャリッジは、該キャリッジに備えられた前記メインキャリッジガイド軸が挿通される円形孔を有し、前記キャリッジの一端側に設けられた、第１の軸受け部に前記メインキャリッジガイド軸が挿通された状態で支持され、かつ前記第１の軸受け部からキャリッジの中心よりも遠方の他端側に設けられた、第２の軸受け部により前記サブキャリッジガイド軸に支持され、前記無端ベルトは、前記第１の軸受け部が設けられた一端側にて前記キャリッジと連結され、前記第１の軸受け部において、前記キャリッジを前記メインキャリッジガイド軸に垂直下方向に付勢する付勢手段を備える、ことを特徴としたキャリッジ支持装置である。
【００２０】
キャリッジをメインキャリッジガイド軸に垂直下方向に付勢することにより、付勢手段による付勢力に加えて、キャリッジの自重を効率的に付勢力として利用できる。また、前記メインキャリッジガイド軸は、第１の軸受け部の円形孔上端部に付勢されることで、キャリッジに作用する回転力が分散され、キャリッジに作用する力が小さくなるので、同じ大きさの回転力に対する付勢力を小さくすることが可能となり、それによってキャリッジの第１の軸受け部とメインキャリッジガイド軸との間に生じる摩擦抵抗を小さくすることができる。さらに前記ガタツキ内でのキャリッジの振動幅が小さくなり、それによってキャリッジ１の傾きによる記録ヘッドのズレは小さくなる。
なお、本願請求項１に記載の発明に係るキャリッジ支持装置の上記作用効果の詳細については、本願発明の実施の形態において説明する。
【００２１】
これにより、本願請求項１に記載の発明に係るキャリッジ支持装置は、記録精度に影響を及ぼす、キャリッジとキャリッジガイド軸との間のガタツキよってキャリッジが主走査方向に移動する際に生じる、キャリッジの回転力に起因するキャリッジの振動を大幅に低減させることを可能とするものである。
【００２２】
本願請求項２に記載の発明は、請求項１において、前記付勢手段は、付勢力源となるコイルばね及び前記メインキャリッジガイド軸の外周面と略同径の内周面を有する付勢部材を有し、前記メインキャリッジガイド軸の垂直下方向側の外周面に前記付勢部材の内周面が摺接しつつ、前記キャリッジと前記付勢部材との間に張架された前記コイルばねのばね力によって、前記第１の軸受け部が前記メインキャリッジガイド軸に垂直下方向へ付勢される構成を有している、ことを特徴としたキャリッジ支持装置である。
【００２４】
本願請求項３に記載の発明は、請求項１又は２において、前記キャリッジ支持装置は、前記第２の軸受け部において、前記キャリッジを前記サブキャリッジガイド軸に垂直下方向に付勢する付勢手段を備える、ことを特徴としたキャリッジ支持装置である。
【００２６】
本願請求項４に記載の発明は、請求項１〜３のいずれか１項において、前記付勢手段は、コイルスプリングによる付勢手段である、ことを特徴としたキャリッジ支持装置である。
【００２７】
これにより、コイルスプリングによる付勢手段であることで、該付勢手段において適切な付勢力を得る上で、付勢力の調節、あるいは付勢力の調節機構を設ける場合の該調節機構の実現が容易になり、より高い本願発明の作用効果が得られるものである。
【００２８】
本願請求項５に記載の発明は、請求項１〜４のいずれか１項に記載のキャリッジ支持装置を備えた記録装置である。
これにより、本願請求項４に記載の発明に係る記録装置は、記録精度に影響を及ぼす、キャリッジとキャリッジガイド軸との間のガタツキよってキャリッジが主走査方向に移動する際に生じる、キャリッジの回転力に起因するキャリッジの振動を大幅に低減させるキャリッジ支持装置による、高い記録精度の記録を可能とする記録装置である。
【００２９】
【発明の実施の形態】
以下、本願発明の実施の形態を図面に基づいて説明する。
図１は、本願発明に係るキャリッジ支持装置の一実施の形態を示した、キャリッジを側面から視た概略の断面図である。記録ヘッド３３を搭載したキャリッジ１は、メインキャリッジガイド軸２１が挿通される円形孔を有する第１の軸受け部１２においてメインキャリッジガイド軸２１と、第２の軸受け部１３においてサブキャリッジガイド軸２２と、に主走査方向に移動するように支持されている。メインキャリッジガイド軸２１とサブキャリッジガイド軸２２は、円形の断面形状を有し、それぞれ主走査方向と平行に記録装置に設けられている。
【００３０】
また、キャリッジ１は、キャリッジ１を主走査方向に駆動するための駆動力を伝達するための無端ベルト３１と、連結部３２において連結されている。そして、キャリッジ１は、第１の軸受け部１２においてメインキャリッジガイド軸２１にキャリッジ１を付勢する、第１の付勢手段２と、第２の軸受け部１３においてサブキャリッジガイド軸２２をキャリッジ１に付勢する、第２の付勢手段３とを有している。
【００３１】
第１の付勢手段２は、第１のコイルスプリング５１と、第１の付勢部材５２により構成されている。第１のコイルスプリング５１は、一端側はキャリッジ１に取り付けられ、他端側は第１の付勢部材５２の一端に取り付けられる。また、第１のコイルスプリング５１は、第１のコイルスプリング５１が縮もうとする力が所定の強さの力になるように両端を引っ張られた状態で取り付けられる。そして、第１のコイルスプリング５１が縮もうとする力は、符号Ａの矢印に示した方向に働き、第１の付勢部材５２の他端側において接しているメインキャリッジガイド軸２１に対してＦ１の方向に作用する。これにより、第１の付勢手段２は、Ｆ１の方向の力の反作用の力で、メインキャリッジガイド軸２１にキャリッジ１を垂直下方向に付勢するものである。
【００３２】
一方、第２の付勢手段３は、第２のコイルスプリング５３と、第２の付勢部材５４により構成されている。第２のコイルスプリング５３の一端側は、キャリッジ１に固定され、他端側に第２の付勢部材５４が取り付けられている。また、第２のコイルスプリング５３は、第２のコイルスプリング５３が伸びようとする力が所定の強さの力になるように両端を押し縮められた状態で取り付けられる。そして、第２のコイルスプリング５３が伸びようとする力は、符号Ｂの矢印に示した方向に働き、第２のコイルスプリング５３の他端側に取り付けられた、第２の付勢部材５４が接しているサブキャリッジガイド軸２２に対してＦ２の方向に作用する。これにより、第２の付勢手段３は、Ｆ２の方向の力の反作用の力で、サブキャリッジガイド軸２２をキャリッジ１に付勢するものである
上記の構成により、キャリッジ１は、メインキャリッジガイド軸２１およびサブキャリッジガイド軸２２に、符号Ｈの矢印で示した垂直下方向に付勢されている。
【００３３】
図２は、図１に示した本願発明に係るキャリッジ支持装置の一実施の形態におけるキャリッジ１の概略の平面図である。
キャリッジ１に連結された無端ベルト３１からの一主走査方向Ｆａへの駆動力が、キャリッジ１の連結部３２に伝達されると、キャリッジ１には、キャリッジ１の重心点を軸にした回転力により、仮想線で示したキャリッジ１ａの姿勢に傾く力が作用する。この際、キャリッジ１はメインキャリッジガイド軸２１に対して、垂直下方向に付勢されていること、および第１の軸受け部１２はメインキャリッジガイド軸２１が挿通される円形孔を有し、メインキャリッジガイド軸２１が該円形孔に挿通された状態で支持されることから、キャリッジ１は、第１の軸受け部１２の中央にメインキャリッジガイド軸２１が位置した状態で、メインキャリッジガイド軸２１に付勢される。
【００３４】
この状態において、連結部３２に一主走査方向の力Ｆａが作用すると、キャリッジ１には、第１の軸受け部１２の中心点である符号ｄの点を支点とした回転力が作用することになり、仮想線で示したキャリッジ１ａの姿勢に傾くことになる。そして、キャリッジ１の第１の軸受け部１２は、メインキャリッジガイド軸２１に対して、符号ａ１の点と符号ａ２の点で接することになり、第１の軸受け部１２のガタツキの範囲内において、キャリッジ１は一主走査方向に傾くことになる。
なお、他主走査方向についても同様に、キャリッジ１は他主走査方向に傾くことになる。
【００３５】
これにより、第１の付勢手段２によって、キャリッジ１をメインキャリッジガイド軸２１に垂直下方向に付勢することで、キャリッジ１に作用する回転力が、第１の軸受け部１２の中心点である符号ｄの点を支点とした回転力となり、図６に示した従来技術によるキャリッジ支持装置と比較して、キャリッジ１の振動幅が小さく、それによってキャリッジ１の振動が大幅に減少し、従来と比較して記録ヘッド３３のズレが小さいキャリッジ支持装置が可能となる。
【００３６】
また、図３は、図２における第１の軸受け部１２の部分を、符号ａ１側の側面から視た断面図であり、図４は、符号ａ２側の側面から視た断面図である。
キャリッジ１はメインキャリッジガイド軸２１に対して、垂直下方向に付勢されていることから、メインキャリッジガイド軸２１の上端部と、第１の軸受け部１２の円形孔の上端部が接しており、この接している点には、キャリッジの自重に相当する力であるＦｇと、第１の付勢手段２による付勢力であるＦ１が作用していることから、Ｆ１とＦｇを合成した力であるＦ３が作用することになる。これにより、キャリッジ１は、図３および図４に示すように、メインキャリッジガイド軸２１に第１の軸受け部１２の円形孔上端部の面が接した状態で付勢されることになる。
【００３７】
一方、キャリッジ１に作用する一主走査方向への回転力をＦａ１とすると、一主走査方向への回転力Ｆａ１が作用することにより、第１の軸受け部１２の円形孔とメインキャリッジガイド軸２１とが接する点は、図２にも示したように、第１の軸受け部１２の円形孔の主走査方向側の端部において、符号ａ１にて示した点と、第１の軸受け部１２の円形孔の主走査方向側と反対側の端部において、符号ａ２にて示した点となる。そして、キャリッジ１は、メインキャリッジガイド軸２１に対して、第１の軸受け部１２の中心点である符号ｄの点を支点として回転し、仮想線で示したキャリッジ１ａの位置まで移動することになる。なお、符号Ｄはその際のキャリッジ１の移動方向、および移動量を示したものである。
【００３８】
また、キャリッジ１に作用する一主走査方向への回転力Ｆａ１は、キャリッジ１の移動方向との関係から、符号Ｆ４と符号Ｆ５で示した力に分散され、キャリッジ１には符号Ｆ４で示した力が作用する。キャリッジの移動方向が斜め上方向であることから、キャリッジ１の移動方向に作用する力であるＦ４の力は、図３に示すように、回転力Ｆａ１のほぼ半分程度の大きさの力となり、図７に示した従来技術におけるキャリッジ支持装置と比較して、キャリッジ１の移動方向に作用するキャリッジ１の回転力をほぼ半減させるものである。なお、他主走査方向についても同様である。
【００３９】
これにより、キャリッジ１をメインキャリッジガイド軸２１に垂直下方向に付勢することで、第１の付勢手段２による付勢力に加えて、キャリッジ１の自重を効率的に付勢力として利用でき、また、メインキャリッジガイド軸２１は、第１の軸受け部１２の円形孔上端部に付勢されることで、キャリッジ１の回転力が分散され、ほぼ半分の大きさの力になるので、同じ大きさの回転力に対する第１の付勢手段２の付勢力を小さくすることが可能となる。
【００４０】
そして、それによってキャリッジとキャリッジガイド軸との間のガタツキよってキャリッジが主走査方向に移動する際に生じる、キャリッジの回転力に起因するキャリッジの振動が低減され、さらにキャリッジ１の第１の軸受け部１２とメインキャリッジガイド軸２１との間に生じる摩擦抵抗を小さくすることができ、その摩擦抵抗により生じる前記回転力に起因したキャリッジ１の振動も低減する。
【００４１】
また、図１に示したように、さらに第２の軸受け部１３において、キャリッジ１はサブキャリッジガイド軸２２に、第２の付勢手段３により、垂直下方向に付勢されている。第１の軸受け部１２と、第１の軸受け部１２からキャリッジ１の中心よりも遠方の他端側に設けられた、第２の軸受け部１３とは、てこの原理における支点と作用点の関係を有している。キャリッジ１は、第１の軸受け部１２がメインキャリッジガイド軸２１に付勢され、かつ第２の軸受け部１３がサブキャリッジガイド軸２２に付勢されることで、より安定して支持されることになる。
【００４２】
また、これは、キャリッジ１の自重を利用した付勢手段であり、それによって、第２の軸受け部１３における第２の付勢手段３の付勢力を小さくすることが可能となる。そして、サブキャリッジガイド軸２２と第２の軸受け部１３との間の摩擦抵抗が小さくなり、キャリッジ１の主走査方向の移動を滑らかにし、キャリッジ１の回転力に起因したキャリッジ１の振動を低減する効果が得られるものである。さらに、第２の軸受け部１３において、キャリッジ１をサブキャリッジガイド軸２２に垂直下方向に付勢することは、キャリッジ１の上下方向に対する振動を抑止する効果もある。
【００４３】
このようにして、本願発明に係るキャリッジ支持装置は、記録精度に影響を及ぼす、キャリッジ１とメインキャリッジガイド軸２１との間のガタツキよってキャリッジ１が主走査方向に移動する際に生じる、キャリッジ１の回転力に起因するキャリッジ１の振動を大幅に低減させることを可能とするものである。
【００４４】
また、他の実施の形態として、第１の付勢手段２のみによるキャリッジ支持装置にて、本願発明を実施することも可能であり、上記に記載の本願発明に係るキャリッジ支持装置の第１の付勢手段２の作用効果が得られるものである。
【００４５】
また、さらに、他の実施の形態として、第２の付勢手段３のみによるキャリッジ支持装置にて、本願発明を実施することも可能であり、上記に記載の本願発明に係るキャリッジ支持装置の第２の付勢手段３の作用効果が得られるものである。
【００４６】
【発明の効果】
本願発明によれば、記録精度に影響を及ぼす、キャリッジとキャリッジガイド軸との間のガタツキよってキャリッジが主走査方向に移動する際に生じる、キャリッジの回転力に起因するキャリッジの振動を大幅に低減させることで、高い記録精度の記録を可能とするキャリッジ支持装置、および記録装置が可能となる。
【図面の簡単な説明】
【図１】本願発明に係るキャリッジ支持装置の一実施の形態を示した、キャリッジを側面から視た概略の断面図である。
【図２】図１に示した本願発明に係るキャリッジ支持装置の一実施の形態におけるキャリッジ１の概略の平面図である。
【図３】図２における第１の軸受け部の部分を、符号ａ１側の側面から視た断面図である。
【図４】図２における第１の軸受け部の部分を、符号ａ２側の側面から視た断面図である。
【図５】従来技術によるキャリッジ支持装置について示した、キャリッジを側面から視た概略の断面図である。
【図６】従来技術によるキャリッジ支持装置について示した、キャリッジを平面側から視た概略の断面図である。
【図７】従来技術によるキャリッジ支持装置におけるキャリッジに作用する一主走査方向への回転力と、第１の付勢手段の付勢力と、第２の付勢手段の付勢力との関係を示したものである。
【符号の説明】
１    キャリッジ
２    第１の付勢手段
３    第２の付勢手段
１２  第１の軸受け部
１３  第２の軸受け部
２１  メインキャリッジガイド軸
２２  サブキャリッジガイド軸
３１  無端ベルト
３２  連結部
３３  記録ヘッド
５１  第１のコイルスプリング
５２  第１の付勢部材
５３  第２のコイルスプリング
５４  第２の付勢部材
Ｆ１  第１の付勢手段による付勢力
Ｆ２  第２の付勢手段による付勢力
Ｆｇ  キャリッジの自重による付勢力
【図１】
0003786176.tif 000002
【図２】
0003786176.tif 000003
【図３】
0003786176.tif 000004
【図４】
0003786176.tif 000005
【図５】
0003786176.tif 000006
【図６】
0003786176.tif 000007
【図７】
0003786176.tif 000008